(57)【要約】      （修正有）【課題】回動支軸により各々回動する第１の筐体と第２の筐体を有する電子機器は、近年小型化が進んでいる。小型化を実現する手段の一つとして、回転軸の小径化された撮像装置を提供する。【解決手段】撮像装置本体と、第１の回動位置から第２の回動位置まで回動自在に保持される表示部５０とを有する撮像装置１００において、シャフト５２と、フレキシブルプリント配線板と、フレキシブルプリント配線板の接合部材５８とを備え、フレキシブルプリント配線板は、第１の巻き付け方向に固定された巻き付け部５５ｘと、固定部５５ｙと、余長部５５ｚとを備え、巻き付け部５５ｘの最外形は、第１の回動位置では直径Ｈ１となるよう構成し、余長部５５ｚは第１の方向で、第１の回動位置から第２の回動位置まで表示部５０が回動する際において、第２の直径に対して狭い範囲Ｈ２で伸縮するよう構成する。【選択図】図５
2016017970.tif 000002
【特許請求の範囲】
【請求項１】
撮像装置本体（１０）と、前記撮像装置本体（１０）に対して表示部（５０）が前記撮像装置本体（１０）に収納された第１の回動位置から第２の回動位置まで回動自在に保持される表示部（５０）と、を有する撮像装置（１００）において、
前記撮像装置（１００）は、前記表示部（５０）の回動中心に設置されるシャフト（５２）と、前記シャフト（５２）に対してその一部が巻き付いて保持されるフレキシブルプリント配線板（５５）と、前記フレキシブルプリント配線板（５５）を前記シャフト（５２）に接合する接合部材（５８）と、を備え、
前記フレキシブルプリント配線板（５５）は、
前記第１の回動位置において前記シャフト（５２）に対して接合部材（５８）により第１の巻き付け方向に巻き付けて固定された巻き付け部（５５ｘ）と、
前記撮像装置本体（１０）側で固定された固定部（５５ｙ）と、
前記巻き付け部（５５ｘ）と前記固定部（５５ｙ）の間に余長部（５５ｚ）と、を備え、
前記巻き付け部（５５ｘ）の最外形は、前記第１の回動位置における前記表示部（５０）の表示面に平行な第１の方向において、前記第１の回動位置では第１の直径（Ｈ１）になり、回動する際に前記余長部（５５ｚ）が巻きつけられた状態となる前記第２の回動位置では第２の直径（Ｈ３）となるよう構成し、
前記余長部（５５ｚ）は前記第１の方向で、前記第１の回動位置から前記第２の回動位置まで前記表示部（５０）が回動する際において、前記第２の直径（Ｈ３）に対して狭い範囲（Ｈ２）で伸縮するよう構成したことを特徴とする撮像装置（１００）。
【発明の詳細な説明】
【技術分野】
【０００１】
本発明は、相対的に回動可能な２つの部材にそれぞれ配置された電気基板をフレキシブル基板で接続する回動機構を用いた撮像装置に関する。
【背景技術】
【０００２】
近年の電子機器、たとえば撮像装置においては、撮像装置本体部と表示部との間に回動機構を配置したものがある。例えば構造体の一部に液晶パネル等を搭載したものがある。使用者は液晶パネルを回転させることにより機器本体に対して様々な角度から液晶の表示を確認することが可能となる。
【０００３】
このような回動機構を構成するものとして特許文献１がある。特許文献１は回動支軸と、前記回動支軸により各々回動する第１の筐体と第２の筐体と、前記第１の筐体の電気回路と前記第２の筐体の電気回路を接続する面状のフレキシブルプリント配線板とを備え、前記フレキシブルプリント配線板は前記回動支軸と平行な本体部分と、前記本体部分と直角に曲げて構成した２つの端子連絡部分とからなり、前記本体部分は回転支軸と平行に折られ、かつ少なくとも一方の端子連絡部分を中空を有するように巻回して巻回し部分を形成し、前記巻回し部分の中空内に前記回動支軸を挿通することを特徴とする回動接続装置を提案している。
【０００４】
上記回動接続装置は、巻き回し部分は第１の筐体と第２の筐体が回動するために必要なフレキシブルプリント配線板長を前記回動支軸とフレキシブルプリント配線板およびフレキシブルプリント配線板の巻き回し部分同士に中空部ができるよう巻き回すことで確保している。
【０００５】
また、フレキシブル線材の本体部分は回転支軸と平行に折られ、かつ少なくとも一方の端子連絡部分が巻回し固定され回転支軸を通していることを特徴としているものである。そして、このような構成によって、信号線数が多くても、フレキシブル線材の本体部を折ることでその幅を実質的に細くすることができ、筐体の回動部の大きさをより小型にするとともに回動ができる。
【先行技術文献】
【特許文献】
【０００６】
【特許文献１】特許第３３０７１９９号明細書
【発明の概要】
【発明が解決しようとする課題】
【０００７】
ところで、上述した回動機構を有する撮像装置は、近年小型化が進んでいる。小型化を実現する手段の一つとして、回動機構における回転軸の小径化が挙げられる。撮像装置は回転軸を小径化することで回転軸に垂直な方向を小型化することが可能になる。
【０００８】
しかしながら、特許文献１においては回動動作に必要なフレキシブルプリント配線板長を確保できるようフレキシブルプリント配線板を回動支軸に対して端子連絡部分が中空を有するように巻回して巻回し部分を形成するようにしたため、巻き回し部分に必要なスペースが回動支軸の小径化を妨げていた。
【０００９】
上記理由から本発明の目的は、回動支軸を小径化できるよう構成することで、小型化された撮像装置を提供することである。
【課題を解決するための手段】
【００１０】
上記目的を達成するため、本発明は、撮像装置本体（１０）と、前記撮像装置本体（１０）に対して表示部（５０）が前記撮像装置本体（１０）に収納された第１の回動位置から第２の回動位置まで回動自在に保持される表示部（５０）と、を有する撮像装置（１００）において、前記撮像装置（１００）は、前記表示部（５０）の回動中心に設置されるシャフト（５２）と、前記シャフト（５２）に対してその一部が巻き付いて保持されるフレキシブルプリント配線板（５５）と、前記フレキシブルプリント配線板（５５）を前記シャフト（５２）に接合する接合部材（５８）と、を備え、前記フレキシブルプリント配線板（５５）は、前記第１の回動位置において前記シャフト（５２）に対して接合部材（５８）により第１の巻き付け方向に巻き付けて固定された巻き付け部（５５ｘ）と、前記撮像装置本体（１０）側で固定された固定部（５５ｙ）と、前記巻き付け部（５５ｘ）と前記固定部（５５ｙ）の間に余長部（５５ｚ）と、を備え、前記巻き付け部（５５ｘ）の最外形は、前記第１の回動位置における前記表示部（５０）の表示面に平行な第１の方向において、前記第１の回動位置では第１の直径（Ｈ１）になり、回動する際に前記余長部（５５ｚ）が巻きつけられた状態となる前記第２の回動位置では第２の直径（Ｈ３）となるよう構成し、前記余長部（５５ｚ）は前記第１の方向で、前記第１の回動位置から前記第２の回動位置まで前記表示部（５０）が回動する際において、前記第２の直径に対して狭い範囲（Ｈ２）で伸縮するよう構成したことを特徴とする。
【発明の効果】
【００１１】
本発明によれば、回動機構が小径化できるよう構成することで電子機器の小型化を実現できる。
【図面の簡単な説明】
【００１２】
【図１】（ａ）は本発明が適用される撮像装置の表示部が収納状態の外観斜視図、（ｂ）は本発明が適用される撮像装置の表示部が１８０度回動した外観斜視図
【図２（ａ）】本発明が適用される表示ユニットの外観斜視図
【図２（ｂ）】本発明が適用される表示ユニットの構成部品を展開した状態を示す斜視図
【図２（ｃ）】図２（ｂ）とは異なる向きから見た本発明が適用される表示ユニット５０の構成部品を展開した状態を示す斜視図
【図３】本発明が適用される回動ユニットＦＰＣ５５まわりの構造詳細を示す斜視図
【図４（ａ）】本発明が適用されるシャフト５２に回動ユニットＦＰＣ５５を組み付ける工程を説明する図
【図４（ｂ）】本発明が適用されるシャフト５２に回動ユニットＦＰＣ５５を、本体シャーシ５１に回動ユニットＦＰＣ５５を固定後の回動ユニットＦＰＣ５５を説明する図
【図４（ｃ）】図４（ｂ）の断面Ａ−Ａ図
【図５】（ａ）は本発明が適用される実施例での撮像装置１００の表示部５０が収納状態の背面図、（ｂ）は本発明が適用される実施例での撮像装置１００の表示部５０が収納状態の断面Ｂ−Ｂ図
【図６】（ａ）は本発明が適用される実施例での撮像装置１００の表示部５０が収納状態から１８０度回動した状態の背面図、（ｂ）は本発明が適用される実施例での撮像装置１００の表示部５０が収納状態から１８０度回動した状態の断面Ｃ−Ｃ図
【発明を実施するための形態】
【００１３】
以下に、本発明の好ましい実施の形態を、添付の図面に基づいて詳細に説明する。
【実施例１】
【００１４】
以下、図１及至図６を参照して、本発明の実施例による撮像装置について説明する。本実施例では、撮像装置本体に対して回転自在に保持される表示部の一例としてヒンジを介して回転可能な表示ユニットを取り上げる。
【００１５】
まず、図１（ａ）、図１（ｂ）を用いて本実施例における撮像装置１００について説明する。図１（ａ）は、本発明が適用される実施例での撮像装置１００の表示部が収納状態の外観斜視図である。図１（ｂ）は、本発明が適用される実施例での撮像装置１００の表示部が１８０度回動した外観斜視図である。
【００１６】
図１（ａ）、図１（ｂ）によると、本実施例における撮像装置１００は、本体１０の正面向かって中央部に鏡筒ユニット３０が配置されている。鏡筒ユニット３０は、ユニットを構成するレンズ群を光軸方向に移動させる構造を有している。そして、レンズ群は本体１０から突出させて撮影を行う撮影位置と、レンズ群を本体１０内部に収容させる収納位置との間を移動することができる。
【００１７】
次に撮像装置１００において、表示ユニット５０は本体１０に対して回転自在に保持されている。表示ユニット５０は、不図示の撮像素子から出力された撮像信号に基づくライブビュー画像や撮影画像、撮影条件等を表示することができる。また、撮像装置１００は本体１０に対して表示ユニット５０の回転角度を検出する不図示の検出手段を備えている。そして例えば、表示ユニット５０が回転して図１（ａ）の姿勢から図１（ｂ）の姿勢へと変化すると、検出手段は表示ユニット５０の姿勢変化を検出する。すると、不図示の制御手段は、それまで表示ユニット５０に表示していた画像に対して、画像の上下を反転させた画像を生成し、表示ユニット５０に表示する制御を行う。この制御を行うことによって表示ユニット５０に表示されている情報を被写体側から認識しやすくすることができる。また表示ユニット５０が回転して図１（ａ）の姿勢から図１（ｂ）の姿勢において不図示の回転規制部によって回転を規制している。
【００１８】
次に、図２を用いて本実施例における表示ユニット５０について説明する。図２（ａ）は、表示ユニット５０の外観斜視図である。図２（ｂ）は、表示ユニット５０の構成部品を展開した状態を示す斜視図、図２（ｃ）は図２（ｂ）とは異なる向きから見た斜視図である。
【００１９】
図２（ａ）に示すように、表示ユニット５０は、表示部カバー５３と、表示部フレーム５４と、回動ユニット５９と、表示装置５７と、を備えている。本実施例では、表示装置５７の一例として、液晶パネル（Liquid Crystal Display）を取り上げる。
【００２０】
図２（ｂ）および図２（ｃ）に示すように、表示装置５７は、液晶パネル５７ａと、液晶パネルＦＰＣ５７ｂ及び５７ｃと、中継基板５７ｄと、を備えている。そして中継基板５７ｄにはコネクタ５７ｄ１、５７ｄ２、及び５７ｄ３が、実装されている。中継基板５７ｄは、液晶パネル５７ａの背面に貼り付けられて固定されている。液晶パネル５７ａから延出する液晶パネルＦＰＣ５７ｂ及び５７ｃは、その延出元からおよそ１８０°折り曲げられて、中継基板５７ｄに実装されているコネクタ５７ｄ１及び５７ｄ２に接続されている。
【００２１】
次に回動ユニット５９は本体シャーシ５１と、シャフト５２と、フレキシブルプリント配線板（以下、回動ユニットＦＰＣと呼称する）５５と、表示部シャーシ５６とを備えている。本体シャーシ５１は、軸受け５１ａ、５１ｂと、を備えている。そして、表示部シャーシ５６は腕部５６ａ、５６ｂを備えている。
【００２２】
ここでシャフト５２は表示部シャーシ５６の腕部５６ａ、５６ｂに対して、スポット溶接等の手段によって一体的に接合されている。シャフト５２は表示部シャーシ５６と一体的に本体シャーシ５１に対して回転可能に保持されている。回動ユニットＦＰＣ５５は表示装置５７と、本体１０の内部に設置する不図示の制御回路基板と、を接続するＦＰＣであり、回動ユニットＦＰＣ端子部５５ｗはコネクタ５７ｄ３に接続される。表示部フレーム５４と、表示部カバー５３は、表示ユニット５０の外装を成す部品である。
【００２３】
図２（ａ）に示すように、表示部フレーム５４は、表示部シャーシ５６と、表示装置５７とを内包して、表示部シャーシ５６に対してビス等によって固定される。そして、本体シャーシ５６に鏡筒ユニット３０や不図示の制御回路基板、外装カバー等を組み付けていくと、撮像装置１００が完成する。
【００２４】
次に、図３を用いて本実施例における回動ユニットＦＰＣ５５まわりの構造詳細について説明する。図３は、回動ユニットＦＰＣ５５まわりの構造詳細を示す斜視図である。図３に示すように、回動ユニットＦＰＣ５５は回動ユニットＦＰＣ巻き付け部５５ｘとシャフト５２を第１の両面テープ５８を介して固定保持し、回動ユニットＦＰＣ固定部５５ｙと本体シャーシ５１を第２の両面テープ６０を介して固定保持している。
【００２５】
回動ユニットＦＰＣ巻き付け部５５ｘとシャフト５２を固定する際、図４にて後述する巻き付け方法で位置決めを行う。回動ユニットＦＰＣ固定部５５ｙと本体シャーシ５１を固定する際、Ｕ字穴５５ｃ、５５ｄおよび本体シャーシ穴５１ｃ、５１ｄの位置が一致するよう位置決めを行う。今回は上記手法により位置決めをしているが、Ｕ字穴５５ｃ、５５ｄは穴でもよいし、本体シャーシ穴５１ｃ、５１ｄはダボ形状でもよい。
【００２６】
回動ユニットＦＰＣ５５は回動ユニットＦＰＣ巻き付け部５５ｘと回動ユニットＦＰＣ固定部５５ｙとの間に回動ユニットＦＰＣ余長部５５ｚを設けている。回動ユニットＦＰＣ余長部５５ｚは、回動ユニットＦＰＣ巻き付け部５５ｘと回動ユニットＦＰＣ固定部５５ｙが位置決め固定され、たるみを保持するよう構成される。
【００２７】
次に、図４を用いて本実施例における回動ユニットＦＰＣ５５を回動ユニット５９に組み付ける工程を説明する。図４（ａ）は、シャフト５２に回動ユニットＦＰＣ５５を組み付ける工程を説明する図である。図４（ｂ）は、シャフト５２に回動ユニットＦＰＣ５５を、本体シャーシ５１に回動ユニットＦＰＣ５５を固定後の回動ユニットＦＰＣ５５を説明する図である。図４（ｃ）は、図４（ｂ）の断面Ａ−Ａ図である。
【００２８】
図４（ａ）に示すように、回動ユニットＦＰＣ５５には巻き付け開始部５５ａ、ＦＰＣ外形端部５５ｅ、５５ｆが形成されている。シャフト５２にはシャフト切り欠き端部５２ａを有する切り欠き部およびシャフト溝部５２ｅ、５２ｆを備えている。そして回動ユニットＦＰＣ巻き付け部５５ｘ（ハッチング領域）には第１の両面テープ５８が図４における紙面裏側にあらかじめ貼り付けられている。
【００２９】
巻き付け開始部５５ａをシャフト切り欠き端部５２ａに一致するよう配置して巻き付けをおこなうことでｙ方向を、ＦＰＣ外形端部５５ｅ、５５ｆをそれぞれシャフト溝部５２ｅ、５２ｆに一致するよう巻き付けることでｘ方向をそれぞれ位置決めしつつ、シャフト５２に対して回動ユニットＦＰＣ５５を固定している。第１の両面テープ５８の終端部５８ｅ、５８ｆまで巻き付けると、巻き付け作業が完了する。
【００３０】
図４（ｂ）、図４（ｃ）は回動ユニットＦＰＣ５５はシャフト５２へ巻き付け固定された後に回動ユニットＦＰＣ固定部５５ｙと本体シャーシ５１を第２の両面テープ６０を介して固定保持した回動ユニットＦＰＣ５５を示す。
【００３１】
前述したように回動ユニットＦＰＣ余長部５５ｚは、回動ユニットＦＰＣ巻き付け部５５ｘと回動ユニットＦＰＣ固定部５５ｙが位置決め固定され、たるみを保持するよう構成される。
【００３２】
図４（ｃ）のように回動ユニットＦＰＣ巻き付け部５５ｘは巻き付け開始部５５ａを起点としてＰ方向（時計周り方向）に第１の両面テープ５８により巻き付け固定された時、回動ユニットＦＰＣ余長部５５ｚは回動ユニットＦＰＣ巻き付け部５５ｘに隣接しつつＰ方向とは逆向きのＱ方向（反時計方向）に湾曲形状部５５ｖ（図４（ｃ）点線範囲）を有するよう、回動ユニットＦＰＣ余長部５５ｚを構成している。
【００３３】
以上に述べた撮像装置１００に関して表示ユニット５０を回動操作させた時の回動ユニットＦＰＣ５５の挙動を図５、図６を用いて説明する。図５（ａ）は、本発明が適用される実施例での撮像装置１００の表示部５０が収納状態の背面図である。図５（ｂ）は、本発明が適用される実施例での撮像装置１００の表示部５０が収納状態の断面Ｂ−Ｂ図である。図６（ａ）は、本発明が適用される実施例での撮像装置１００の表示部５０が収納状態から１８０度回動した状態の背面図である。図６（ｂ）は、本発明が適用される実施例での撮像装置１００の表示部５０が収納状態から１８０度回動した状態の断面Ｃ−Ｃ図である。
【００３４】
図５（ｂ）に示すように表示部５０が撮像装置１００に収納されている時の回動ユニットＦＰＣ余長部５５ｚは回動ユニットＦＰＣ巻き付け部５５ｘと回動ユニットＦＰＣ固定部５５ｙの間に且つシャフト５２に対して被写体側になるよう設けられている。回動ユニットＦＰＣ巻き付け部５５ｘは第１の両面テープ５８により巻き付け固定されており、回動ユニットＦＰＣ巻き付け部５５ｘは撮像装置本体１０に対して表示部５０が撮像装置本体１０に収納された第１の回動位置での表示面に平行な第１の方向（ｙ方向）での直径がＨ１となるよう構成している。そして回動ユニットＦＰＣ余長部５５ｚは第１の方向における高さがＨ２となるよう構成し、Ｈ１≧Ｈ２となるよう構成されている。
【００３５】
図６（ｂ）に示すように表示部５０が撮像装置１００に表示部５０が収納状態から１８０度回動した第２の回動位置において回動ユニットＦＰＣ余長部５５ｚは回動する際に回動ユニットＦＰＣ余長部５５ｚが一部巻きつけられた状態となる。回動ユニットＦＰＣ巻き付け部５５ｘは撮像装置本体１０に対して表示部５０が撮像装置本体１０に収納された第１の回動位置での表示面に平行な第１の方向（ｙ方向）での直径がＨ３となるよう構成している。そして回動ユニットＦＰＣ余長部５５ｚは第１の方向における高さがＨ４となるよう構成し、Ｈ３≧Ｈ４となるよう構成されている。また第１の回動位置および第２の回動位置での回動ユニットＦＰＣ巻き付け部５５ｘの直径を比較すると、第２の回動位置では回動ユニットＦＰＣ余長部５５ｚが一部巻きつけられる為、Ｈ３＞Ｈ１となる。
【００３６】
上記構成とすることで図５（ｂ）の状態から図６（ｂ）の状態に表示部が回動する際に必要なＦＰＣ長さを回動ユニットＦＰＣ余長部５５ｚで確保することができ、かつ回動ユニットＦＰＣ巻き付け部５５ｘの小径化を実現することができる。また本実施例では第２の回動位置を表示部５０が１８０度回動した状態として説明したが回動角度は１８０度に限定されるものではなく、０〜３６０度の範囲で回動することが可能な撮像装置に適用することが可能である。
【符号の説明】
【００３７】
１００  撮像装置、１０  本体、５０  表示ユニット（表示部）、５１  本体シャーシ、
５２  シャフト、５５  回動ユニットＦＰＣ、５５ａ  巻き付け開始部、
５５ｅ／５５ｆ  ＦＰＣ外形端部、５５ｖ  湾曲形状部、
５５ｘ  回動ユニットＦＰＣ巻き付け部、５５ｙ  回動ユニットＦＰＣ固定部、
５５ｚ  回動ユニットＦＰＣ余長部、５６  表示部シャーシ、
５８  第１の両面テープ（接合部材）
【図１】
2016017970.tif 000003
【図２（ａ）】
2016017970.tif 000004
【図２（ｂ）】
2016017970.tif 000005
【図２（ｃ）】
2016017970.tif 000006
【図３】
2016017970.tif 000007
【図４（ａ）】
2016017970.tif 000008
【図４（ｂ）】
2016017970.tif 000009
【図４（ｃ）】
2016017970.tif 000010
【図５】
2016017970.tif 000011
【図６】
2016017970.tif 000012